(57)【特許請求の範囲】
【請求項１】
撮像装置であって、
複数の光源を含み、対象物を含む被照明面に前記複数の光源の光を離散的に導く照明光学系と、
撮像光学系により結像された前記被照明面の像を取得するための複数の撮像素子と、
前記対象物の大きさを計測する計測部と、
前記計測部の計測結果に基づいて、前記複数の光源のうち前記被照明面の像を取得する際に前記対象物に照射されずに前記撮像素子に導かれる光源の少なくとも１つを使用せず、前記複数の撮像素子のうち前記被照明面の像を取得する際に前記対象物の像が結像されない撮像素子の少なくとも１つを使用しない制御を行う制御部と、を有することを特徴とする撮像装置。
【請求項２】
前記制御部は、前記撮像光学系の光軸に対して直交する方向に前記対象物と前記複数の撮像素子との相対的位置を変えながら複数回の撮像を行う際に、前記複数の光源のうち使用しない光源と前記複数の撮像素子のうち使用しない撮像素子を変更することを特徴とする請求項１に記載の撮像装置。
【請求項３】
前記複数の光源と前記複数の撮像素子とは１対１で対応しており、
前記制御部は、前記計測部の計測結果に基づいて、前記複数の光源のうち前記被照明面の像を取得する際に使用しない光源の少なくとも１つを決定し、前記決定された光源に対応する撮像素子を使用しない決定をすることを特徴とする請求項１または２に記載の撮像装置。
【請求項４】
前記複数の光源と前記複数の撮像素子とは１対１で対応しており、
前記制御部は、前記計測部の計測結果に基づいて、前記複数の撮像素子のうち前記被照明面の像を取得する際に使用しない撮像素子の少なくとも１つを決定し、前記決定された撮像素子に対応する光源を使用しない決定をすることを特徴とする請求項１または２に記載の撮像装置。
【請求項５】
前記照明光学系は複数のロッドインテグレータを有し、前記複数の光源は前記複数のロッドインテグレータに独立して光を供給し、前記複数のロッドインテグレータの射出面と前記撮像光学系の像面とが共役関係を持つことを特徴とする請求項１乃至４のいずれか１項に記載の撮像装置。
【請求項６】
前記照明光学系は複数のレンズアレイを有し、前記複数の光源は前記複数のレンズアレイで形成された各照明面に独立に光を供給し、前記複数のレンズアレイで形成された前記各照明面と前記撮像光学系の像面とが共役関係を持つことを特徴とする請求項１乃至４のいずれか１項に記載の撮像装置。
【請求項７】
撮像装置であって、
複数の光源を含み、対象物を含む被照明面に前記複数の光源からの光を離散的に導く照明光学系と、
撮像光学系により結像された前記被照明面の像を取得するための撮像素子と、
前記対象物の大きさを計測する計測部と、
前記計測部の計測結果に基づいて、前記複数の光源のうち前記被照明面の像を取得する際に前記対象物を照明しない光源の少なくとも１つを使用しない制御を行う制御部と、を有することを特徴とする撮像装置。
【請求項８】
前記制御部は、前記撮像光学系の光軸に対して直交する方向に前記対象物と前記撮像素子との相対的位置を変えながら複数回の撮像を行う際に、前記複数の光源のうち使用しない光源を変更することを特徴とする請求項７に記載の撮像装置。
【発明の詳細な説明】
【技術分野】
【０００１】
本明細書は、標本画像を撮像する撮像装置の構成に関する。
【背景技術】
【０００２】
近年、検体全体から細胞組織までの外形情報を電子化画像にし、モニターに拡大・縮小を含めて表示させることができる撮像装置が注目されている。
【０００３】
特許文献１や特許文献２は、視野が大きく、且つ解像度の高い対物レンズを用意し、撮像部に撮像素子を複数配置することで、高速で高倍撮像をする方法を開示している。これらは、標本もしくは撮像部を複数回駆動しつつ、そのたびに撮像し、撮像した画像を合成して全体画像を形成することで、検体全体から細胞組織までの外形情報を画像として取得する。ここで複数の撮像素子を用いるのは、あまりに広い視野に対して一括撮像できる大きな撮像素子を用意することが、非常に困難だからである。
【０００４】
特許文献２や特許文献３のように広画角・高解像専用の光学系で検体全体の画像を形成すると、画角よりも撮像対象物の方が小さくなる場合がある。この場合、撮像に不必要な部分にまで照明・撮像を行うため、無駄な電力を使ってしまう可能性がある。
【０００５】
画角より撮像対象物の方が小さくなる場合の照明の例を図２に示す。図２（ａ）は撮像対象物（検体２２５）を照明している図を表しており、２２０は検体２２５を保持する標本保持部（たとえばスライドガラス）、２２７は照明されている領域を表す。図２（ｂ）は撮像装置の撮像面での様子を表しており、２２５Ｃは検体２２５の像、４２０は電気基板、４３０は撮像素子、２２７Ｃは撮像面で照明領域２２７が結像する領域を表す。
【０００６】
上記のように、画角より小さい検体の画像を撮るために、撮像可能な領域の全面を照明している。撮像素子以外の部分に結像する光は撮像に関わらないので、消費電力の増大につながる上に、散乱光として装置内で反射して撮像素子に入射すると画質の低下を招く。
【０００７】
そこで、検体の大きさに合わせて照明する方法として、例えば特許文献３の走査顕微鏡では、撮像対象物の近傍に、照明範囲を任意に規制する遮光物を配置することで、撮像したい部分に合わせて照明する方法を開示している。
【先行技術文献】
【特許文献】
【０００８】
【特許文献１】特開２００９−００３０１６
【特許文献２】特開２００９−０６３６５５
【特許文献３】特開２００８−１０７４０３
【発明の概要】
【発明が解決しようとする課題】
【０００９】
しかし、遮光物による照明範囲の制御は、使用する光源の発光量を変えてはいないので、消費電力を低減することができるわけではない。また、撮像に関しては、画像データとは関係ない部分が多く撮像されてしまうと、画像処理に時間がかかる上に、画像データ量が不必要に大きくなってしまう。
【００１０】
画像データが大きくなると、例えば、遠隔地で取得した画像を別の遠隔地から読み込む場合に、大きな画像データを送受信するための過大なインフラ整備を行う必要が出てくる。そうすると、ユーザーのコストを圧迫するという問題が生じる。
【００１１】
そこで、本発明は、複数の撮像素子が配置された撮像部によって画像を取得する撮像装置において、低消費電力化を図ることが可能な撮像装置を提供することを目的とする。また、画像データ量の縮小を図ることが可能な撮像装置を提供することを目的とする。
【課題を解決するための手段】
【００１３】
上記目的を達成するために、撮像装置は、複数の光源を含み、対象物を含む被照明面に前記複数の光源の光を離散的に導く照明光学系と、撮像光学系により結像された前記被照明面の像を取得するための複数の撮像素子と、前記対象物の大きさを計測する計測部と、前記計測部の計測結果に基づいて、前記複数の光源のうち前記被照明面の像を取得する際に前記対象物に照射されずに前記撮像素子に導かれる光源の少なくとも１つを使用せず、前記複数の撮像素子のうち前記被照明面の像を取得する際に前記対象物の像が結像されない撮像素子の少なくとも１つを使用しない制御を行う制御部と、を有することを特徴とする。
【００１４】
また、撮像装置は、複数の光源を含み、対象物を含む被照明面に前記複数の光源からの光を離散的に導く照明光学系と、撮像光学系により結像された前記被照明面の像を取得するための撮像素子と、前記対象物の大きさを計測する計測部と、前記計測部の計測結果に基づいて、前記被照明面の像を取得する際に前記複数の光源のうち前記対象物を照明しない光源の少なくとも１つを使用しない制御を行う制御部と、を有することを特徴とする。
【発明の効果】
【００１５】
本発明によれば、複数の撮像素子を用いて画像を取得する撮像装置において、低消費電力化を図ることが可能な撮像装置を提供することが可能となる。また、画像データ量の縮小を図ることが可能な撮像装置を提供することが可能となる。
【図面の簡単な説明】
【００１６】
【図１】本発明の撮像装置全体の説明図
【図２】光軸対称な領域を照明した場合の照明状態についての説明図
【図３】図１の光源ユニットからオプティカルロッド部の説明図
【図４】図１のオプティカルロッド部射出面の照度分布
【図５】図１で大きい検体を撮像する場合の照明・撮像状態の説明図
【図６】図１で小さい検体を撮像する場合の照明・撮像状態の説明図
【図７】図１で大きい検体の全体像を撮像する場合の照明・撮像状態の説明図
【図８】図１で小さい検体の全体像を撮像する場合の照明・撮像状態の説明図
【図９】図１で小さい検体の全体像を撮像する場合の照明・撮像状態の説明図
【図１０】図１で小さい検体の全体像を撮像する場合の照明・撮像状態の説明図
【図１１】図１の撮像部における照明部と撮像素子の関係についての説明図
【図１２】図１のオプティカルインテグレータ部の説明
【図１３】図１のオプティカルインテグレータ部の説明
【図１４】図１のオプティカルインテグレータ部の説明
【発明を実施するための形態】
【００１７】
以下、本発明の実施例の撮像装置について説明する。
【００１８】
（第１実施形態）
図１は、本発明の実施形態の透過型顕微鏡を用いた撮像装置の概要図である。図１において、撮像装置１は、光源ユニット１１０からの光を被照射面Ｂに導く照明光学系１００と標本部２００を有する。更に、被照明面Ｂ上の対象物の像を結像するための撮像光学系３００と、撮像光学系３００の撮像面（像面）Ｃに複数のＣＣＤやＣＭＯＳ等の撮像素子４３０を配置した撮像部４００と、撮像対象物の大きさと位置を測定する計測光学系５００を有する。計測光学系５００は、計測用照明光学系５１０と計測用撮像光学系５２０で構成される。ここでは、照明光学系１００、撮像光学系３００、複数の撮像素子４３０を含む系を撮像部とし、計測光学系５００を含む系を計測部とする。
【００１９】
まず、計測光学系５００で撮像対象物の大きさと位置を計測する。撮像対象物は、標本保持部２２０にある検体２２５であり、例えばスライドガラスとカバーガラス（不図示）に挟まれている。標本部２００は、標本ステージ２１０と標本保持部２２０で構成されている。標本ステージ２１０は、標本保持部２２０の位置を光軸方向や光軸と垂直な方向に、もしくは光軸に対して傾くように駆動することができる。検体２２５を被照射面Ｄと一致するように保持させると、計測用照明光学系５１０により照明された検体２２５が計測用撮像光学系５２０で撮像され、その大きさが計測される。大きさや位置の計測は、例えば、計測用撮像光学系５２０に含まれるＣＣＤやＣＭＯＳ等の撮像素子から得られる情報を用いて行われる。
【００２０】
計測用照明光学系５１０は、検体を照明するための光束を放射しており、例えば１つまたは複数のハロゲンランプやキセノンランプ、ＬＤ、ＬＥＤなどで構成されている。計測用撮像光学系５２０は、被照明面Ｄでの検体２２５の像を撮像し、その位置と大きさを計測するが、大きさと位置を認識するための光学系であるため、撮像光学系３００と比べると解像度の低い光学系であってもよい。
【００２１】
このようにして、計測光学系５００で検体の大きさを計測した後、検体２２５を面Ｂに一致させるように標本ステージ２１０を駆動し、照明光学系１００と撮像光学系３００と撮像部４００を使って撮像を行う。ただし、ここでは光を用いて検体の大きさを計測する例を示しているが、検体の大きさを計測できればその構成に特に限定は無い。
【００２２】
照明光学系１００は、光源ユニット１１０と、複数のオプティカルロッド（ロッドインテグレータ）１２０ａを有するオプティカルロッド部１２０と、共役光学系１３０で構成される。光源ユニット１１０は、標本部２００の検体を照明するための光束を放射しており、例えば１つまたは複数のハロゲンランプやキセノンランプ、ＬＥＤ等で構成される。
【００２３】
また、光源ユニット１１０は、複数のオプティカルロッド１２０ａにのみ光を供給する。例えば、図３（ａ）に示すように、電気基板１１５上に配置した複数の光源１１１からの発散光をレンズアレイ１１２ａで平行化し、レンズアレイ１１２ｂにて所望の位置及び角度で集光し、独立して各オプティカルロッドに光を供給する。もしくは、図３（ｂ）に示すように、電気基板１１５上に配置した複数の光源１１１からの光を、それぞれその後段にある各オプティカルロッドに入射させる。
【００２４】
オプティカルロッド部１２０は、光源ユニット１１０から放射される光束を内面全反射により側面に漏らすことなく導光し、各オプティカルロッド１２０ａの射出端面で均一な照明面を形成する。オプティカルロッド部１２０の射出面を面Ａとしたとき、この面Ａは、図５（ａ）に示すように複数のオプティカルロッド１２０ａに対応して離散的に均一な照明分布を形成している。各オプティカルロッド１２０ａに光を供給する光源のＯｎ／Ｏｆｆを切り替えれば、ロッド射出面では様々な形態の照明ができる。ここでは、オプティカルロッドの射出面Ａと撮像光学系３００の撮像面Ｃとが共役関係を持つように構成されている。ただし、完全に共役な位置に配置されている必要は無く、略共役な位置に配置されていればよい。
【００２５】
図４に例を示すと、全ての光源をＯｎ状態にすると図４（ａ）にしめす照度分布ができる。また、一部の光源をＯｆｆ状態にすると図４（ｂ）や図４（ｃ）のような照度分布を形成することができる。ここで、光源Ｏｎ状態時のロッド端面を白抜きで表し、光源Ｏｆｆ状態時のロッド端面を斜線で表す。
【００２６】
この面を共役光学系１３０で結像し、被照明面Ｂを照明する。なお、共役光学系１３０は、被照明面Ｂで撮像に必要な均一性が得られるのであれば、照明面Ｂ（標本面Ｂ）と面Ａとが完全に共役な位置に配置されている必要は無く、略共役な位置に配置されていればよい。
【００２７】
照明光学系１００の構成では、上述のように様々な形態の照明が可能なので、検体２２５の大きさによって照明部分を適切に制御することが可能である。検体２２５が大きい場合は、全てのオプティカルロッドに光を供給し、全てのオプティカルロッド射出面で均一照明を行うことで、被照明面Ｂで図５（ｂ）に示すように各照明領域２２７で均一かつ離散的な照明を行う。ここで、図５（ｂ）の点線は、照明されている領域を表す。一方、検体２２５が小さい場合は、撮像に必要な領域のみ照明するように、使用する光源のみをＯｎ状態にする。そのとき、オプティカルロッド部射出面Ａの照度分布は図６（ａ）のようになり、標本面Ｂの照度分布は図６（ｂ）に示すようになる。こうすると、一部の光がＯｆｆ状態となるため、不必要な部分を照明せずに、消費電力を低減できる。
【００２８】
撮像光学系３００は、被照明面Ｂで照明された標本の像を、広画角かつ高い解像度で撮像面Ｃに結像する光学系である。撮像面Ｃにおいて、検体２２５は、撮像光学系３００によって図５（ｃ）の点線で示すように像２２５Ｃとして結像する。そして、図のように各光源からの光が、各撮像素子４３０に１対１で対応して導かれるように構成されている。
【００２９】
ここで、撮像部４００は、撮像ステージ４１０と、電気基板４２０と撮像素子４３０で構成されている。撮像素子４３０は、図２（ｂ）や図５（ｃ）で示すように、電気基板４２０上に隙間を空けて配置されており、撮像ステージ４１０で撮像光学系３００の撮像面Ｃに一致するように配置されている。撮像面Ｃでは、検体２２５が照明されている各照明領域の像の大きさ２２７Ｃと、撮像素子の大きさ４３０とを一致させている。ちなみに、必ずしも完全に一致させる必要はないが、同じ大きさに近いほど光を効率的に利用することが可能となる。また、撮像素子以外の領域に照射される光が低減されるので、画質の低下を招く散乱光の影響を低減することが可能となる。
【００３０】
撮像光学系の光学系倍率をβ、共役光学系の光学系倍率をβ’としたとき、撮像素子４３０の大きさが□Ｔであれば、ロッド端面の大きさは、□Ｔ×（１／β）×（１／β’）となる。また、各撮像素子に検体の像が□Ｔ×ａ（ｍｍ）（ただしａ＞１）の領域だけ結像するように少し余裕を持たせてもよく、その場合、ロッドの端面の大きさは図５（ａ）に示すように□Ｔ×ａ×（１／β）×（１／β’）となる。もしくは、撮像素子が長方形ならば、ロッド端面の形は、撮像素子の形と相似関係にある長方形にする。ここでは例として長方形を挙げたが、長方形に限らず、撮像素子とロッド端面の形状を互いに対応した形状にするとよい。対応した形状とは、撮像素子の形状が矩形や六角形である場合、オプティカルロッドの射出面の形状もそれに合わせて矩形や六角形にすることである。撮像素子の形状とオプティカルロッドの射出面の形状を相似関係や、相似とまではいかなくともそれに近くすれば、撮像素子の受光面積をより有効に利用することが可能となる。
【００３１】
撮像光学系の光学系倍率をβ、共役光学系の光学系倍率をβ’としたとき、撮像素子４３０の大きさがＸ方向でＴｘ、Ｙ方向でＴｙであるならば、ロッド端面のＸ方向長さはＴｘ×（１／β）×（１／β’）、Ｙ方向長さはＴｙ×（１／β）×（１／β’）とする。このとき、計測光学系５００で計測された検体２２５が大きい場合、図５（ｃ）において、撮像面Ｃで照明領域２２７Ｃに対応する全ての撮像素子を使用する。また、計測光学系５００で計測された検体２２５が小さい場合、撮像に必要な一部の光源のみＯｎ状態にする。そして、図６（ｃ）において、撮像面Ｃで照明領域２２７Ｃに対応する一部の撮像素子のみ使用する（言い換えると、対象物の像が結像されない撮像素子を使用しない）。物体光が結像している撮像素子のみ撮像すれば、他の撮像素子は撮像しないために消費電力を低減できる。この場合では、ロッド端面１つと撮像素子１つが対応しているため、使用する光源を決定すれば、使用する撮像素子も一意に決定できる。
【００３２】
本発明の撮像装置では、光軸と直交する面内において、オプティカルロッド射出面Ａと被照明面Ｂ（標本面）と撮像面Ｃのうち、少なくとも一つ以上の面の相対的位置を変えて、被照明面上の対象物を複数回撮像する。図５のように、検体が画角相当以上の大きさを有する場合では、複数の光源１１１も複数の撮像素子４３０も全て使用するが、このときの検体全体の画像を取得する方法を示す。
【００３３】
図７は、標本保持部２２０を光軸に対して垂直なＸＹ方向に撮像素子４３０の有効寸法だけずらした場合の撮像部４００での撮像素子４３０と検体２２５の像２２５Ｃの関係を示す。図７の例において、使用する撮像素子と検体の像の関係は、１回目の撮像では図７（ａ）、２回目の撮像では図７（ｂ）、３回目の撮像では図７（ｃ）、４回目の撮像では図７（ｄ）とする。また、図７（ｅ）〜図７（ｈ）は、図７（ａ）〜（ｄ）の各撮像時までに撮像した画像を表す。
【００３４】
図７（ａ）の位置で１回目の撮像を行った場合、検体２２５の像２２５Ｃは図７（ｅ）に示すように撮像素子の存在する領域のみが離散的に撮像される。
【００３５】
次に、標本保持部２２０をずらし、図７（ｂ）の位置で２回目の撮像を行った場合、先に取得した画像と組み合わせると図７（ｆ）に示す部分を撮像していることになる。
【００３６】
図７（ｅ）〜図７（ｈ）では、直前に撮像した部分を実線で囲んで表し、その他の点線の部分は先に撮像した部分を表す。
【００３７】
更に、標本保持部２２０をずらし、図７（ｃ）の位置で３回目の撮像をすると図７（ｇ）が撮像されていることになり、最後に図７（ｄ）で４回目の撮像を行えば、図７（ｈ）に示す部分を全体として撮像していることになる。
【００３８】
こうして撮像した複数の画像を制御部６１０に含まれる画像処理手段で合成し、撮像領域全体を画像化することができる。一方、検体が画角よりも小さい図６の場合では、光源１１１と撮像素子４３０を一部だけ使用して検体全体の画像を取得する。
【００３９】
図８は、先ほどの図７と同様に、標本保持部２２０を光軸に対して垂直なＸＹ方向に、撮像素子４３０の有効寸法だけずらした場合の撮像部４００での撮像素子４３０と検体２２５の像２２５Ｃの関係を示す。図８（ａ）〜（ｄ）では、使用している撮像素子４３０を実線で表し、使用していない撮像素子４３０を点線で表す。本形態では、使用している撮像素子４３０に対応する光源のみＯｎ状態にしている。
【００４０】
図８（ａ）は一回目の撮像であり、真ん中の９つの照明領域だけ照明するために光源は９つ使用し、撮像も真ん中の９つだけ使用して、検体２２５の像２２５Ｃは図８（ｅ）に示すように撮像素子の存在する領域のみを離散的に撮像する。
【００４１】
次に標本保持部２２０をずらし、図８（ｂ）の位置で２回目の撮像を行うと、先に取得した画像と組み合わせて、図８（ｆ）に示す部分を撮像していることになる。
【００４２】
図８（ｅ）〜図８（ｈ）では、直前に撮像した部分を実線で囲んで表し、その他の点線の部分は先に撮像した部分を表す。
【００４３】
更に、先に取得した画像を張り合わせることを前提にすると、標本保持部２２０をずらし、図８（ｃ）の位置で３回目の撮像をすると図８（ｇ）が撮像されていることになる。そして、最後に図８（ｄ）で４回目の撮像を行えば、図８（ｈ）に示す部分を撮像していることになる。
【００４４】
こうして、複数枚の画像データを図１における画像処理手段を含む制御部６１０で合成し、その画像をメモリ等の記録部６３０に格納し、モニター等の画像表示部６２０に表示する。制御部６１０では、画像処理の他に、使用する光源や撮像素子の決定や、標本ステージ２１０の駆動制御を行う機能を有する。ここでは、これらの機能を一つの制御部６１０が行う構成としたが、それぞれ別の制御部を用意し、それらがそれぞれの役割を担う構成でもよい。
【００４５】
このように、検体の大きさに応じて使用する光源と撮像素子を決定すると、検体が小さい場合は、一部の光源と撮像素子だけを使うことで、低消費電力でかつ検体全体を小さいデータ量で画像化することができる。
【００４６】
（第２実施形態）
第１実施形態では４回の撮像で１つの検体の全体画像を取得する際に、１回目から４回目まで全て同じ光源と撮像素子を使用しているが、各撮像時で使用する光源と撮像素子を変えることもできるので、その例を図９に示す。図９の例において、使用する撮像素子と検体の像の関係は、１回目の撮像では図９（ａ）、２回目の撮像では図９（ｂ）、３回目の撮像では図９（ｃ）、４回目の撮像では図９（ｄ）とする。図９（ａ）〜（ｄ）では、使用している撮像素子４３０を実線で表し、使用していない撮像素子４３０を点線で表す。本形態では、使用している撮像素子４３０に対応する光源のみＯｎ状態にしている。
【００４７】
また、１回目の撮像で得られる画像データを図９（ｅ）、２回目の撮像で得られる画像データを図９（ｆ）、３回目の撮像で得られる画像データを図９（ｇ）、４回目の撮像で得られる画像データを図９（ｈ）とする。図９（ｅ）〜図９（ｈ）では、直前に撮像した部分を実線で囲んで表しており、その他の点線の部分は先に撮像した部分を表す。
【００４８】
図８では、１回目から４回目の撮像まで９つの撮像素子を常に使用していたが、本実施形態では図９に示すように、撮像のタイミング毎に使用する撮像素子の数を変更して、全体として使用する撮像素子の数を更に減らしている。そのため、図８と図９では同じ大きさの検体を撮像しているが、最終的に出来上がる画像は、図９（ｈ）の方が図８（ｈ）よりも小さい。
【００４９】
全てのタイミングで同じ光源・撮像素子を使うのではなく、図９（ａ）〜図９（ｄ）のように各撮像時で使用する光源と撮像素子を変えることで、最終的に図９（ｈ）のように不要なデータを抑えて検体全体の画像を撮像できる。
【００５０】
（第３実施形態）
一般的に、画像は矩形で持つことが多いが、検体が全て矩形かそれに近い形ではないため、撮像する画像も矩形でなくすことで、使用する光源と撮像素子を減らすことや、処理を軽くすることができる。図１０の例において、使用する撮像素子と検体の像の関係は、１回目の撮像では図１０（ａ）、２回目の撮像では図１０（ｂ）、３回目の撮像では図１０（ｃ）、４回目の撮像では図１０（ｄ）とする。図１０（ａ）〜（ｄ）では、使用している撮像素子４３０を実線で表し、使用していない撮像素子４３０を点線で表す。本形態では、使用している撮像素子４３０に対応する光源のみＯｎ状態にしている。
【００５１】
また、１回目の撮像で得られる画像データを図１０（ｅ）、２回目の撮像で得られる画像データを図１０（ｆ）、３回目の撮像で得られる画像データを図１０（ｇ）、４回目の撮像で得られる画像データを図１０（ｈ）となる。図１０（ｅ）〜図１０（ｈ）では、直前に撮像した部分を実線で囲んで表しており、その他の点線の部分は先に撮像した部分を表す。
【００５２】
図１０から分かるように、図９の場合よりも１回目の撮像で使用する光源と撮像素子の数が少ない。
【００５３】
左隅には検体の像が無いため、１回目の左隅は撮像せずに図１０（ｈ）の画像を合成する。ただし、一般的には画像データは矩形で持つため、画像の張り合わせ時に、左隅部を未処理部の空白画像として画像データを作る。
【００５４】
この方法では、使用する光源と撮像素子がまた一段と減り、張り合わせ部が少なくなることにより処理を軽くすることができる。
【００５５】
（第４実施形態）
第１から第３実施形態までは、オプティカルロッド端面１つと撮像素子１つが対応しているため、使用する光源を決定すれば、使用する撮像素子も一意に決定できた。
【００５６】
しかし、撮像光学系の光学系倍率βや共役光学系の光学系倍率β’、撮像領域等の設計事項の制約により、ロッド１つと撮像素子１つを対応させるのが難しい場合がある。その場合は、ロッド１つと複数の撮像素子を対応させればよい。
【００５７】
例えば、図１１（ａ）のように、撮像素子４つで占められる領域を均一に照明するために１つのロッドから照明しても良いし、図１１（ｂ）のように、撮像素子全てを占める領域を均一に照明するために１つのロッドから照明しても良い。これらの場合、図１１（ａ）ではロッド端面１つと撮像素子４つが対応しており、図１１（ｂ）ではロッド端面１つと全ての撮像素子が対応しており、使用する光源が決定しても、使用する撮像素子を一意に決定することが出来ない。
【００５８】
しかし、計測結果から、使用する撮像素子を決定すれば、撮像に不必要な照明が一部でなされていても、撮像素子側では、不必要な部分を撮像せずにすむ。
【００５９】
（第５実施形態）
第１から第４実施形態までは、照明光学系で使用するインテグレータとして全てオプティカルロッドを使用していたが、レンズアレイを用いることもできる。その例を図１２に示す。
【００６０】
各光源１１１から放射された光を平行化レンズ群１１６での各レンズで平行化し、さらに微小なレンズからなるレンズアレイ１２２で集光もしくは発散させ、平行化レンズ群１２３の各レンズでオプティカルロッド射出面に相当する面（照明面）Ａを照明する。ここでは、面Ａと撮像光学系３００の撮像面Ｃとが共役関係を持つように構成されている。ただし、完全に共役な位置に配置されている必要は無く、略共役な位置に配置されていればよい。
【００６１】
レンズアレイ１２２は、Ｘ方向の曲率とＹ方向の曲率が異なるトロイダル面を持った矩形のレンズが、複数つなぎあって形成されている。そして、レンズアレイ１２２の各レンズは、図１３に示すように、円形ではなく矩形にし、二方向での曲率を変えることで面Ａのｘ方向の大きさ（ｘＡ）とｙ方向の大きさ（ｙＡ）を変え、撮像素子の大きさに合わせた形状に光を整形する。もしくは、レンズアレイ１２２は、図１４に示すように、片側の面に一方向のみ曲率をもつシリンドリカル面を持ち、もう片側の面が平面となるシリンドリカルレンズを組み合わせて用いてもよい。
【００６２】
この例では、Ｘ方向から見ると、一つはＸ方向に曲率を持っており、もう一つは平板としてみなすことができる（図１４（ａ））。また、Ｙ方向から見ると、一つは平板で、もう１つはＹ方向に曲率を持っているとみなすことができる（図１４（ｂ））。
【００６３】
図１２に戻ると、レンズアレイ１２２と平行化レンズ群１２３は、平行化レンズ群１２３のレンズの焦点距離ｆだけ離れており、さらにｆ離れた面Ａを照明する。  このとき、レンズアレイ１２２の複数のレンズからの光束は、平行化レンズ群１２３の各レンズに入射し（図１２の光線で図示）、面Ａで重畳され、均一な照明を形成する（ケーラー照明）。
【００６４】
この例では、面Ａにおいて、各光源に対応してケーラー照明で均一照明されている照明部が、離散的に複数形成されることになる。面Ａでは空中像が形成できるため、共役光学系を取り除いて面Ａと標本面Ｂを一致させても良いし、設計事情に合わせて変倍光学系として共役光学系を配置しても良い。
【００６５】
こうすると、オプティカルロッドを用いた場合と同様に、離散的に配置され撮像素子の大きさと配置に合わせて、離散的かつ均一な照明部を形成できる（図５（ｃ）・図６（ｃ））。
【００６６】
よって、このようなレンズアレイを用いた構成でも、第１から第４実施形態で示したように、検体の大きさに応じて使用する光源と撮像素子を決定すれば、低消費電力かつ画像データ量の縮小化ができる。
【００６７】
使用する光源・撮像素子の決定方法を第１から第４実施形態で示したが、レンズアレイを用いた構成でも、設計事情によって最も効率的な方法を選択すればよい。
【産業上の利用可能性】
【００６８】
以上、本発明の光学系の実施例として顕微鏡に適用した場合について説明した。
各実施例では標本に照射する光の透過光を像面に結像する透過型の光学系について示したが、反射型の光学系でも良い。
また顕微鏡以外の撮像装置についても同様に適用できる。
【符号の説明】
【００６９】
１  撮像装置
１００  照明光学系
１１０  光源ユニット
１１１  光源
１２０  オプティカルロッド部
１２０ａ  オプティカルロッド
２２５  検体（撮像対象物）
３００  撮像光学系
４００  撮像部
４３０  撮像素子
５００  計測光学系
６１０  制御部
【図１】
0005197712.tif 000002
【図２】
0005197712.tif 000003
【図３】
0005197712.tif 000004
【図４】
0005197712.tif 000005
【図５】
0005197712.tif 000006
【図６】
0005197712.tif 000007
【図７】
0005197712.tif 000008
【図８】
0005197712.tif 000009
【図９】
0005197712.tif 000010
【図１０】
0005197712.tif 000011
【図１１】
0005197712.tif 000012
【図１２】
0005197712.tif 000013
【図１３】
0005197712.tif 000014
【図１４】
0005197712.tif 000015